(57)【特許請求の範囲】
【請求項１】
ローラー軸に直交するキャスター軸を中心として回転可能なキャスターを底面に取り付けて成る製品を梱包箱内に収容して梱包すると共に、前記梱包箱内に前記製品を下方から支持する台座と前記キャスターを受ける斜面部を設けた梱包構造であって、
前記梱包箱の底板上に複数のブロック形状の前記台座を設け、前記底板に対向して水平に設置されたスペーサー板の一部を下方に斜めに折り曲げて前記斜面部を変形可能に形成したことを特徴とする梱包構造。
【請求項２】
前記製品は、矩形ボックス状の本体と、前記本体に収納されるとともに、前記本体から引出し可能に構成された引出しユニットを備え、前記回転可能なキャスターは該引出しユニットの底面に設けられており、
前記台座は前記本体の四隅付近に対応して設け、前記スペーサー板は前記引出しユニットの底面に対向して配置されることを特徴とする請求項１記載の梱包構造。
【請求項３】
前記製品の四隅付近には回転軸の向きが所定の同じ方向に固定されたキャスターが取り付けられており、前記引出しユニットは回転軸の向きが所定の同じ方向に固定された前記キャスターの回転軸の方向に引出し可能に構成されており、
前記台座は前記四隅のキャスターを支持するように設けられており、前記梱包箱と前記製品の各側面の間に緩衝材が設けられていることを特徴とする請求項２記載の梱包構造。
【発明の詳細な説明】
【技術分野】
【０００１】
本発明は、製品を保管・搬送するために梱包箱に収容して梱包するための梱包構造に関するものである。
【背景技術】
【０００２】
通常、工場等で製造された製品は、ダンボール等によって構成された梱包箱内に収納されて梱包された状態で保管或いは搬送される。例えば、複写機やプリンター等の画像形成装置のオプション機器である、画像形成のための用紙を大容量に収納して画像形成装置に供給するためのデッキは、その下面の移動用の複数のキャスターが取り付けられている。これらのキャスターには、デッキの底面に取り付けられた固定式のものと、ローラー軸に直交するキャスター軸を中心として回転可能な回転式のものとがある。
【０００３】
ここで、デッキの梱包構造の従来例を図９に示す。即ち、図９はデッキの梱包構造の従来例を示す部分断面図であり、ダンボールによって矩形ボックス状に成形された梱包箱１１０内にはデッキ１０１が収納されて梱包されている。このデッキ１０１の底面の前端部には固定式のキャスター１０３と回転式のキャスター１０４が取り付けられている。ここで、固定式のキャスター１０３は、不図示のローラー軸に直交する軸を中心として回転不能であり、回転式のキャスター１０４は、不図示のローラー軸と直交する垂直なキャスター軸１０７を中心として回転可能である。
【０００４】
そして、梱包箱１１０の底板１１１上にはブロック状の台座１１２が設置されており、この台座１１２によってキャスター１０３，１０４が受けられている。尚、図９において、は１１３緩衝材、１１４はスペーサー板である。
【０００５】
ところで、梱包構造に関して特許文献１には、梱包箱の耐圧強度を高めるための該梱包箱の四隅に配置された支柱の内部空間に同梱物を選択的に収容可能とすることによって、梱包箱及びこれに収容された製品を含む梱包体の重心位置を容易に調整可能とした構成が提案されている。
【先行技術文献】
【特許文献】
【０００６】
【特許文献１】特開２００６−０５１９９４号公報
【発明の概要】
【発明が解決しようとする課題】
【０００７】
しかしながら、図９に示すようなデッキ１０１にあっては、その前端部の下面に回転式のキャスター１０４が取り付けられているため、梱包に際してデッキ１０１を梱包箱１１０内に収容する際にキャスター１０４がキャスター軸を中心として自由に回転し、その位置が定まらないために梱包の作業性が悪いという問題がある。
【０００８】
又、キャスター１０４が台座１１２によって受けられているため、梱包した状態でのデッキ１０１の落下衝撃試験によってキャスター１０４のキャスター軸１０７とデッキ１０１の下面（取付面）に過負荷が作用し、キャスター１０４が損傷したり、デッキ１０１の下面が変形する等の問題が発生する可能性がある。
【０００９】
尚、特許文献１において提案された梱包構造によっても上記問題を解決することはできない。
【００１０】
本発明は上記問題に鑑みてなされたもので、その目的とする処は、製品を作業性良く梱包することができるとともに、落下衝撃試験等による製品の変形等の不具合の発生を防ぐことができる梱包構造を提供することにある。
【課題を解決するための手段】
【００１１】
上記目的を達成するため、請求項１記載の発明は、ローラー軸に直交するキャスター軸を中心として回転可能なキャスターを底面に取り付けて成る製品を梱包箱内に収容して梱包する梱包構造であって、前記梱包箱内に前記製品を下方から支持する台座と前記キャスターを受ける斜面部を設けたことを特徴とする。
請求項２記載の発明は、請求項１記載の発明において、前記梱包箱の底板上に複数のブロック形状の前記台座を設け、前記底板に対向して設置されたスペーサー板の一部を下方に斜めに折り曲げて前記斜面部を変形可能に形成したことを特徴とする。
請求項３記載の発明は、請求項２記載の発明において、前記製品は、矩形ボックス状の本体と、前記本体に収納されるとともに、前記本体から引出し可能に構成された引出しユニットを備え、前記回転可能なキャスターは該引出しユニットの底面に設けられており、前記台座は前記本体の４隅付近に対応して設け、前記スペーサーは前記引出しユニットの底面に対向して配置されることを特徴とする。
請求項４記載の発明は、請求項３記載の発明において、前記製品の四隅付近には回転軸の向きが所定の同じ方向に固定されたキャスターが取り付けられており、前記引出しユニットは前記キャスターの回転軸の方向に引出し可能に構成されており、前記台座は前記四隅のキャスターを支持するように設けられており、前記梱包箱と前記製品の各側面の間に緩衝材が設けられていることを特徴とする。
【発明の効果】
【００１２】
本発明によれば、製品の梱包に際して、キャスターが梱包箱側に設けられた斜面部に当接することによって該キャスターのキャスター軸を中心とする回転が阻止されるため、製品の梱包を作業性良く行うことができる。
【００１３】
又、キャスターは梱包箱側に設けられた変形可能な斜面部によって受けられるため、例えば梱包状態での製品の落下衝撃試験においてキャスターに過負荷が作用することがなく、該キャスターの損傷や製品の変形等の不具合の発生が防がれる。
【図面の簡単な説明】
【００１４】
【図１】製品であるデッキを斜め下方から見た斜視図である。
【図２】本発明に係る梱包構造を示す側断面図である。
【図３】本発明に係る梱包構造を示す底面図である。
【図４】図２のＡ−Ａ線断面図である。
【図５】梱包箱の底板とスペーサー板の分解斜視図である。
【図６】梱包箱の底板とスペーサー板の組付状態を示す斜視図である。
【図７】回転式のキャスターの側面図である。
【図８】図７のＢ−Ｂ線断面図である。
【図９】従来の梱包構造を示す部分断面図である。
【発明を実施するための形態】
【００１５】
以下に本発明の実施の形態を添付図面に基づいて説明する。
【００１６】
図１は製品であるデッキを斜め下方から見た斜視図、図２は同デッキの梱包構造を示す側断面図、図３は同梱包構造を示す底面図、図４は図２のＡ−Ａ線断面図、図５は梱包箱の底板とスペーサー板の分解斜視図、図６は梱包箱の底板とスペーサー板の組付状態を示す斜視図、図７は回転式キャスターの側面図、図８は図７のＢ−Ｂ線断面図である。
【００１７】
本実施の形態では、図１に示すデッキ１の梱包構造を示す。ここで、デッキ１は、複写機やプリンター等の不図示の画像形成装置の側面に隣接させて設置して、画像形成するための用紙を供給するオプション機器である。デッキ１の本体１ａは矩形ボックス状に成形され、その内部には複数枚の不図示の用紙が積層収容されるトレイ１ｂ（引き出しユニット）が設けられている。トレイ１ｂは、用紙を補充する作業などのために、本体１ａに対して前方に引き出し可能に構成されている。デッキ１は画像形成装置などに対して側面１ｃを隣接させて配置して使用するが、用紙がジャムした場合等ために、画像形成装置等から簡単に離せるように移動可能な構成になっている。そして、このデッキ１の本体１ａの底面の四隅には、不図示のローラー軸を中心として回転可能なローラー２を備える固定式のキャスター３が取り付けられている。尚、この固定式のキャスター３は、ローラー軸と直交する垂直軸回りには回転不能である。
【００１８】
又、図１においてデッキ１の底面の前端部であって、その左右両隅に取り付けられたキャスター３の間の位置には、トレイ１ｂの底面に取り付けられた回転式のキャスター４が示されている。この回転式のキャスター４は、図７及び図８に示すように、ローラー軸５によって回転可能に支持された一対のローラー６と、ローラー軸５を回転可能に支持する垂直なキャスター軸７を備えており、キャスター軸７はその上端が平板状の取付プレート８に回転可能に支持されている。
【００１９】
以上のように構成された回転式のキャスター４は、取付部プレート８によってデッキ１の底面の前端部に取り付けられており、ローラー６とローラー軸５は、キャスター軸７の軸中心周りに回転可能に支持されている。
【００２０】
デッキ１はジャム処理等の際に、固定式のキャスター３によって所定の方向に簡単に移動させることが可能であり、このとき、回転式のキャスター４はキャスター軸７の回りに回転してローラー軸５が本体キャスター３のローラー軸と同じ方向に向き、トレイ１ｂも本体１ａと一体で移動する。又、用紙の補充等のためにトレイ１ｂを本体１ａから引き出す際には、回転式のキャスター４はキャスター軸７の回りに回転してローラー軸５が引出し方向と直交する方向に向き、トレイ１ｂを簡単に引き出すことが可能である。
【００２１】
而して、図１に示すデッキ１は図２〜図４に示すように梱包箱１０の内部に収容されて梱包された状態で保管或いは搬送されるが、図５に示すように、梱包箱１０の底部に設けられた矩形平板状の底板１１上の４箇所（デッキ１の底面に取り付けられた４つのキャスター３に対応する箇所）には、矩形に切断された複数のダンボールを積層して成るブロック状の台座１２が接着されている。又、底板１１上の外周の長辺と短辺に沿う４箇所には、矩形に切断された複数のダンボールを積層して成るブロック状の緩衝材１３が接着されている。
【００２２】
更に、底板１１上の前記４つの台座１２で囲まれる領域にはスペーサー板１４が水平に設置されている。このスペーサー板１４は、矩形のダンボールを長辺に沿って下方に直角に折り曲げて左右の側壁１４ａを形成し、各側壁１４ａの前後に、矩形に切断された複数のダンボールを積層して成るブロック状のベース１５、１５をそれぞれ接着するとともに、前側の短辺に沿って矩形の斜面部１４ｂを斜め下方に折り曲げて形成することによって構成されている。ここで、斜面部１４ｂの幅は、底板１１の前側に設置された左右の前記台座１２間の距離よりも若干狭く設定されている。又、スペーサー板１４の中央部には、デッ１キの前方を表示するための三角印１４ｃが切り抜きによって形成されている。
【００２３】
而して、スペーサー板１４は、図６に示すように、その４つのベース１５が底板１１上に載置されることによって、底板１１上の４つの台座１２によって囲まれる領域に水平に設置されており、その前端に形成された斜面部１４ｂは、底板１１の前側に設置された左右の台座１２の間に斜めに配置されている。
【００２４】
そして、デッキ１の梱包に際しては、該デッキ１が底面を下にして梱包箱１０の内部に上方から落とし込まれて図２〜図４に示すように収容されるが、このとき、デッキ１の底面の四隅に取り付けられた固定式のキャスター３は、底板１１上に設けられた４つの台座１２によってそれぞれ受けられる。又、デッキ１の底面の前側に取り付けられた回転式のキャスター４は、スペーサー板１４の前端に斜めに形成された斜面部１４ｂによって受けられるが、該キャスター４はローラー６が斜面部１４ｂに当接することによってキャスター軸７を中心とする回転が阻止されるため、デッキ１の梱包が作業性良く行われる。
【００２５】
又、キャスター４はスペーサー板１４に設けられた変形可能な斜面部１４ｂによって受けられるため、例えば梱包状態でのデッキ１の落下衝撃試験においてキャスター４に過負荷が作用することがなく、該キャスター４が損傷を受けたり、製品であるデッキ１が変形する等の不具合の発生が防がれる。
【００２６】
尚、以上の実施の形態では、画像形成装置のオプション機器であるデッキの梱包構造について説明したが、本発明は、底面に回転式キャスターを備える他の任意の製品の梱包構造に対しても同様に適用可能であることは勿論である。
【符号の説明】
【００２７】
１        デッキ(製品)
２        ローラー
３        固定式キャスター
４        回転式キャスター
５        ローラー軸
６        ローラー
７        キャスター軸
８        取付プレート
１０      梱包箱
１１      底板
１２      台座
１３      緩衝材
１４      スペーサー板
１４ａ    スペーサー板の側壁
１４ｂ    スペーサー板の斜面部
１４ｃ    スペーサー板の三角印
１５      ベース
【図１】
0005597599.tif 000002
【図２】
0005597599.tif 000003
【図３】
0005597599.tif 000004
【図４】
0005597599.tif 000005
【図５】
0005597599.tif 000006
【図６】
0005597599.tif 000007
【図７】
0005597599.tif 000008
【図８】
0005597599.tif 000009
【図９】
0005597599.tif 000010